(57)【特許請求の範囲】
【請求項１】
唄口と開口を塞ぐキャップとを有する頭部管、複数の音孔を有する胴部管、及び足部管を備えた管楽器の、該頭部管内の所定位置に装着し、該唄口から吹き込まれる気流を該頭部管に嵌合された前記胴部管に向けて反射する筒状部材であって、
筒形の側壁部及び該側壁部の開口を閉鎖する一対の円形部により形成され、内部に密閉空間を有する金属製の筒状部材本体と、前記側壁部の周囲に係止して前記頭部管を封止する封止部材と、前記円形部のうちの一方の中央に一端を固定し、他端を前記キャップに係合させる棒状体と、を有することを特徴とする筒状部材。
【請求項２】
前記封止部材は、オーリングであって、
前記筒状部材本体は、前記側壁部の端縁近傍における外周に、前記オーリングを係止する溝が形成されたものであることを特徴とする請求項１記載の筒状部材。
【請求項３】
前記筒状部材本体は、前記側壁部の高さが、１５ｍｍ以上、３０ｍｍ未満であり、前記密閉空間が真空状態であることを特徴とする請求項１又は２記載の筒状部材。
【発明の詳細な説明】
【技術分野】
【０００１】
本発明は、フルート、ピッコロ、バスフルート等のフルート等のフルート族に属する管楽器（以下、単にフルートという）の頭部管に使用されるものである。
【背景技術】
【０００２】
フルートは独特の構成及び音の発生原理を有し、それは楽器が確立されてから現在に至るまで長い間ほとんど変わっていない。
図３は、従来から用いられているフルートの頭部管の断面図である。頭部管は、一方の端寄りに唄口６を有する中空管で、中空管の内部の唄口６寄りには、コルク反射部材が装着されている。コルク反射部材は、反射板１と、反射板１にロ―付けされた心棒２と、反射板１に密着し、心棒２が貫挿されたコルク柱３と、心棒２に螺合するナット４を備えている。そして、中空管の一方の開放端は、心棒２を螺合したキャップ５で塞がれており、キャップ５を回せば心棒２の螺合長が変化し、中空管の内部の反射板１位置が移動する。また、ナット４と反射板１との間隔を短くすれば、コルク柱３が圧迫されて径が大きくなるため、コルク柱３と中空管内壁との密着性が高まり、息漏れが防げる。フルートは、頭部管の唄口６から吹き込んだ空気の流れにより管体中に閉じこめられた気柱が振動し音が発生する。反射板１は、唄口６に入る息を音孔の方向に流す役目を果たし、コルク柱３は、息がうしろに漏れるのを止める役目を果たしている。
しかしながら、栓となったコルク材は、気柱や反射板の振動を吸収し、発生させた音の音量や音の出易さ、立ちあがりなどを阻害するため、音の表現や反応の速さが制約される。そこで、コルク栓に密封された共鳴筒を結合する方法が提案されている（特許文献１参照）。また、コルク栓と唄口との間に、密封された窪みつき反射板を設ける方法が提案されている（特許文献２参照）。
さらに、高音域と低音域の音量を大きくするなどのため、コルク栓に環状の凹部からなる共鳴室を設ける方法が提案されている（特許文献３参照）。
【先行技術文献】
【特許文献】
【０００３】
【特許文献１】特開２０００−０２９４５８
【特許文献２】特開２００７−０４７７１６
【特許文献３】特開２００７−５０４５０５
【発明の開示】
【発明が解決しようとする課題】
【０００４】
従来のフルートは、平面状の反射部材にコルクを用いていたので、音量に限りがあり音のピアニシモからフォルテシモの調律に熟練を必要とした。
また、唄口の近傍に装着された反射板は、コルクが密着しているため取り外しが困難で、劣化したコルクは消耗品で唄口の中に唾が残り使用して経年すると臭いがするようになる。
本発明は、上記事情に鑑み、唄口から吹き込まれる息を、コルク反射部材を用いることなく、音孔の方向に流れを進め、音量が大きくて楽に演奏ができるうえ、頭部管内の唾や湿気を簡単にふきとれ、永年使用しても臭いが生じにくい筒状部材を提供することを目的とする。
【課題を解決するための手段】
【０００５】
本発明の筒状部材は、唄口と開口を塞ぐキャップとを有する頭部管、複数の音孔を有する胴部管、及び足部管を備えた管楽器の、該頭部管内部の所定位置に装着し、該唄口から吹き込まれる気流を該頭部管に嵌合された上記胴部管に向けて反射する筒状部材であって、筒形の側壁部及び該側壁部の開口を閉鎖する一対の円形部により形成され、内部に密閉空間を有する金属製の筒状部材本体と、上記側壁部の周囲に係止して上記頭部管を封止する封止部材と、上記円形部のうちの一方の中央に一端を固定し、他端を上記キャップに係合させる棒状体と、を有することを特徴とする。
ここで、上記封止部材は、オーリングであって、上記筒状部材本体は、上記側壁部の端縁近傍における外周に、上記オーリングを係止する溝が形成されたものであることが好ましい。
このように、唄口の孔の中の反射板をコルクから金属の筒に替えて周面の両サイドにオーリングを付けることで、頭部管の中の密着性をたかめて息漏れを簡単に防ぐ事が出来る。また、従前のコルク反射部材のコルク柱に替えて金属からなる筒状部材本体を用い、この筒状部材本体の中を空洞にしているので、金属に圧力を掛けることで音の反応が良くなり演奏が楽になる。
【０００６】
ここで、上記筒状部材本体は、上記側壁部の高さが、１５ｍｍ以上、３０ｍｍ未満であり、上記密閉空間が真空状態であることが好ましく、上記円形部のうちの、何れか一方又は双方は、上記胴部管側の表面が凹んでいることも好ましい。
このように、空洞の中を真空にしても、筒状部材本体の表面などを緩いカーブを描くようにしても、大きな響きが得られる。
【発明の効果】
【０００７】
本発明の筒状部材は、フルートを演奏するすべての奏者が子供から女性奏者まで自分で簡単に取り替える事が出来て、コルクと違い耐久性が良く半永久的に使用でき、唾と湿気とを簡単にふきとることが可能で、永年使用しても臭いがほとんど生じない。
本発明の筒状部材を取り付けたフルート奏者は、レスポンスが早く、響きの反応が良くダイナミックレンジが広がる事で曲のレパートリが多くなり、演奏が楽しく出来るので、従来のコルク反射部材と比較して大きな違いを実感することができる。
【発明を実施するための形態】
【０００８】
以下に、本発明の実施形態を図に基づいて説明する。
図１は、本発明を適用するフルートの平面図である。
図１に示すように、フルートは、一端がキャップで塞がれ、唄口を有する頭部管と、レバーにより開閉する複数の音孔を有し、頭部管に嵌合される胴部管と、胴部管に嵌合される足部管とからなる。
図２は、頭部管の平面図であり、図４は、頭部管のa-a’に沿う縦断面図である。
図２及び図４に示すように、頭部管の一端はキャップ１１で塞がれ、他端は、胴部管に嵌合される開口がある。そして、頭部管の長手方向におけるキャップ１１側の位置には、息を吹き入れる唄口１２が設けられている。なお、キャップ１１は、従来から用いられているものと同様、内側の中央に、筒状部材の心棒１０を螺合する雌ねじが刻まれた突起部があり、外周に  頭部管内面に設けられた雌ねじと螺合する雄ねじが刻まれている。また、頭部管内部の、唄口１２よりもキャップ１１側の所定位置には、本実施形態の筒状部材が、キャップ１１に螺合されて固定されている。
筒状部材は、筒状部材側壁部１３、対向する反射板７（本発明の一方の円形部に相当する。）及び筒状部材球面部１４（本発明の他方の円形部に相当する。）により形成され、内部に真空室９（本発明の密閉空間に相当する。）を有する金属製の筒状部材本体１６と、筒状部材側壁部１３の両側端に係止され、頭部管内面に密着して頭部管を封止する一対のオーリング８（本発明の封止部材に相当する。）と、外周に雄ねじが刻まれる一方、一端が筒状部材本体球面部１４の中央にロー付けなどによって固定され、他端がキャップ１１に螺合される心棒１０と、を備えている。
ここで、本実施形態の反射板７は表面が平らに形成されているが、緩いカーブを描き、凹面を形成してもよい。
筒状部材本体球面部１４の真空室９と接する表面は、緩やかな凹面をなしている。また、心棒１０には、雄ねじが刻まれており、その一端は、キャップ１１の突起部に螺合するので、キャップ１１を回転することにより心棒１０と突起部との螺合長が変化する。したがって、本実施形態の筒状部材を頭部管内に挿入し、心棒１０をキャップ１１の突起部に螺合し、キャップ１１を頭部管内面に螺合すれば、筒状部材本体１６を頭部管内部の所定位置に固定することができる。
唄口１２から吹き込まれた息による音は、反射板７にあたり、一部は反射すると同時に反射板７を振動させるので、真空室９の内部で共鳴し、従来のコルク栓が結合されたコルク反射部材と比べて、音量が飛躍的に増す。その際、真空室９が真空状態であれば、より大きな音量が得られるという知見を得ている。また、本実施形態の筒状部材本体１６の筒状部材側壁部１３には、反射板7寄りと、筒状部材球面部１４寄りとの両側端に、溝を設け、その溝にオーリング８を取り付けるので、筒状部材を頭部管内に挿入したとき頭部管内周面とオーリング８とが密着し、息漏れを簡単に防ぐ事が出来る。また、キャップ１１を回転し、頭部管内面との螺合を外すだけで筒状部材を簡単に取り外すことが出来るので、演奏後に、唄口１２かた入った唾や湿気を簡単にふき取ることなどにより、清潔さを保つことができる。
なお、本実施形態の反射板７は、平らに形成されているが、緩いカーブを描くようにしてもよい。
【０００９】
ここで、オーリング前部１５の筒状部材本体１６の外径と頭部管の内径のすき間は、０．５ｍｍが理想のすき間で、すき間が大きくなると響きが、小さくなる。また、オーリング前部１５と反射板７との距離は１ｍｍが、音程が良く、又オーリング８のサイズが１ｍｍのときに、響きがもっとも大きく感じる。
【００１０】
更に、筒状部材側壁部１３の金属の厚みは１ｍｍから０．７ｍｍがもっともダイナミックレンジを感じる厚みである。
【００１１】
また、筒状部材本体１６の頭部管に沿った長さは、１５ｍｍがもっともバランスが取れ、従来のコルク反射板と同じ長さの３０ｍｍで演奏するとレスポンスが遅くなる。
【００１２】
なお、筒状部材は、金製が一番良く響き、次に銀製、洋銀、真中と貴金属が筒状部材にもっともよいことが分った。
【００１３】
本実施形態の筒状部材の真空室９と接する筒状部材球面部１４表面は緩やかな球面にしているので、大きな響きを得ることが出来る。
【図面の簡単な説明】
【００１４】
【図１】本発明を適用するフルート平面図
【図２】本発明を適用するフルートの頭部管の平面図
【図３】従来の頭部管の断面図
【図４】図２に示す頭部管に本発明の筒状部材を適用した場合にa-a’に沿う断面図
【符号の説明】
【００１５】
１    反射板
２    心棒
３    コルク柱
４    ナット
５    キャップ
６    唄口
７    反射板
８    オーリング
９    真空室
１０  心棒
１１  キャップ
１２  唄口
１３  筒状部材側壁部
１４  筒状部材球面部
１５  オ−リング前部
１６  筒状部材本体
【図１】
0005227659.tif 000002
【図２】
0005227659.tif 000003
【図３】
0005227659.tif 000004
【図４】
0005227659.tif 000005